(57)【特許請求の範囲】
【請求項１】
洗剤投入蓋を開閉可能に設け流出口より洗濯槽内に注水する注水装置を備え、前記洗剤投入蓋は、下方に回動支点を設けて回動可能に注水装置に装着され、前記回動支点と反対側に爪部が設けられ、前記爪部の近傍下部に把手部が設けられ、前記回動支点は、前記洗剤投入蓋に設けた略Ｃ字状の嵌合部と、前記注水装置に設け前記嵌合部と嵌合する略円筒形の凸部とで構成され、前記回動支点の背面側には壁が設けられ、前記洗剤投入蓋を開いた状態で、前記略Ｃ字状の嵌合部の外周端面が前記壁に当接するようにした洗濯機の給水装置。
【請求項２】
注水装置を上部外装体に装着し、洗剤投入蓋を閉めた状態で、前記洗剤投入蓋が前記上部外装体に入り込むように前記上部外装体に凹部を設けた請求項１記載の洗濯機の給水装置。
【発明の詳細な説明】
【０００１】
【発明の属する技術分野】
本発明は洗濯時やすすぎ時に多量の水を注ぐ洗濯機の給水装置に関するものである。
【０００２】
【従来の技術】
従来、この種の洗濯機は図７および図８に示すような構成が一般的であった。以下、その構成について説明する。
【０００３】
図７に示すように、水受け槽１は、底面にパルセータ２を回転自在に配設した洗濯兼脱水槽（洗濯槽）３を内包しており、サスペンション４によって外枠５に防振支持されている。外枠５の上部には上部外装体６を装着し、上部外装体６の略中央部に布投入口７を形成し、ふた８で覆われている。後部には給水弁９と注水装置１０を内蔵している。
【０００４】
注水装置１０は、図８に示すように、洗剤投入蓋１１を回動自在に設け、上部外装体６に装着している。洗剤投入蓋１１に設けた略円筒形の凸部１２を上部外装体６に設けた凹溝部１３に嵌合して、洗剤投入蓋１１を回動するようにしている。また、洗剤投入蓋１１は、上部外装体６の左右２つの係止リブ１４にて閉状態に保持し、左右両側に設けた把手部１５にて開閉し、洗剤投入蓋１１の下端部の開口部の流出口１６より洗濯兼脱水槽３内に注水するものである。
【０００５】
上記構成において、洗濯行程では、注水装置１０の洗剤投入蓋１１内に洗剤を投入し、洗濯時に注水装置１０に給水を始めると、水は流出口１４から洗剤に注がれ、水の勢いで水と一緒に流れ出て、洗濯兼脱水槽３に注水する。また、洗剤を洗濯兼脱水槽３に直接投入した場合は、水は洗剤投入蓋１１の下端の流出口１４より洗濯兼脱水槽３に注水する。所定の水位に達するとパルセータ２を駆動して洗濯する。洗濯が終了し、洗濯液を排水した後、すすぎ行程でも、水は流出口１４から、洗濯兼脱水槽３に注水され、洗濯物をすすぐことができる。
【０００６】
【発明が解決しようとする課題】
このような従来の構成では、片方の把手部１５だけを持って、洗剤投入蓋１１を開けようとする場合、洗剤投入蓋１１がたわむため、洗剤投入蓋１１が反対側の係止リブ１４に引っかかりやすく、開けにくくなっていた。また、洗剤投入蓋１１を上部外装体６に取り付ける場合、洗剤投入蓋１１の片方の略円筒形の凸部１２を上部外装体６の凹溝部１３に装着した後、洗剤投入蓋１１を変形させて、もう片方の略円筒形の凸部１２を溝凹部１３に装着しなければならず、洗剤投入蓋１１の取り付け、取り外しが困難であるという問題を有していた。
【０００７】
また、洗剤投入蓋１１を開けた状態で洗剤投入蓋１１に上方からの荷重がかかると、洗剤投入蓋１１はたわむため、凸部１５は内側に倒れて嵌合状態が強くなり、上部外装体６の溝凹部１３または洗剤投入蓋１１の略円筒形の凸部１２が破損しやすくなっていた。また、洗剤投入蓋１１を閉めた状態においても、洗剤投入蓋１１は上部外装体６より洗濯兼脱水槽３側に突出しているため、洗濯物を洗濯兼脱水槽３に投入する際、洗濯物が洗剤投入蓋１１に引っかかってしまい、使い勝手が悪いといった問題を有していた。
【０００８】
本発明は上記課題を解決するもので、洗剤投入蓋を開ける場合に、洗剤投入蓋を開けやすくし、使い勝手を向上させるとともに、洗剤投入蓋が容易に破壊しないようにすることを目的としている。
【０００９】
【課題を解決するための手段】
本発明は上記目的を達成するために、洗剤投入蓋を開閉可能に設け流出口より洗濯槽内に注水する注水装置を備え、前記洗剤投入蓋は、下方に回動支点を設けて回動可能に注水装置に装着され、前記回動支点と反対側に爪部が設けられ、前記爪部の近傍下部に把手部が設けられ、前記回動支点は、前記洗剤投入蓋に設けた略Ｃ字状の嵌合部と、前記注水装置に設け前記嵌合部と嵌合する略円筒形の凸部とで構成され、前記回動支点の背面側には壁が設けられ、前記洗剤投入蓋を開いた状態で、前記略Ｃ字状の嵌合部の外周端面が前記壁に当接するようにしたものである。
【００１０】
これにより、把手部に指を掛けて洗剤投入蓋を開ける場合に、爪部の近傍を引っ張るため、爪部を容易に外すことができ、洗剤投入蓋を開けやすくすることができ、使い勝手を向上させるとともに、洗剤投入蓋を開けた状態で洗剤投入蓋に上方からの荷重がかかった場合に、壁が支点になって略Ｃ字状の嵌合部が略円筒形の凸部より外れるため、洗剤投入蓋を容易に外すことができ、洗剤投入蓋が容易に破壊しないようにすることができる。
【００１１】
【発明の実施の形態】
本発明の請求項１に記載の発明は、洗剤投入蓋を開閉可能に設け流出口より洗濯槽内に注水する注水装置を備え、前記洗剤投入蓋は、下方に回動支点を設けて回動可能に注水装置に装着され、前記回動支点と反対側に爪部が設けられ、前記爪部の近傍下部に把手部が設けられ、前記回動支点は、前記洗剤投入蓋に設けた略Ｃ字状の嵌合部と、前記注水装置に設け前記嵌合部と嵌合する略円筒形の凸部とで構成され、前記回動支点の背面側には壁が設けられ、前記洗剤投入蓋を開いた状態で、前記略Ｃ字状の嵌合部の外周端面が前記壁に当接するようにしたものであり、把手部に指を掛けて洗剤投入蓋を開ける場合に、爪部の近傍を引っ張るため、爪部を容易に外すことができ、洗剤投入蓋を開けやすくすることができ、左右の嵌合部と凸部とをほぼ同時に嵌合することができるため、洗剤投入蓋を正面から着脱することができ、洗剤投入蓋を容易に取り付け、取り外しすることができ、洗剤投入蓋を開けた状態で洗剤投入蓋に上方からの荷重がかかった場合に、壁が支点になって略Ｃ字状の嵌合部が略円筒形の凸部より外れるため、洗剤投入蓋を容易に外すことができ、洗剤投入蓋が容易に破壊しないようにすることができる。
【００１２】
請求項２に記載の発明は、上記請求項１記載の発明において、注水装置を上部外装体に装着し、洗剤投入蓋を閉めた状態で、前記洗剤投入蓋が前記上部外装体に入り込むように前記上部外装体に凹部を設けたものであり、洗濯物を洗濯兼脱水槽に投入する際、洗濯物が洗剤投入蓋にひっかからないようにすることができる。
【００１３】
【実施例】
以下、本発明の実施例について、図面を参照しながら説明する。なお、従来例と同じ構成のものは同一符号を付して説明を省略する。
【００１４】
（実施例１）
図１および図２に示すように、注水装置１７は、洗剤投入蓋１８を開閉可能に設け、流出口１９より洗濯兼脱水槽３内に注水するもので、前面開口の収納箱２０を設け、収納箱２０の後部側壁に流入口２１を形成し、上部外装体２２に装着している。流入口２１は、図３に示すように、上部外装体２２の後部上面に設けた給水弁９と流入ホース２３で連通させている。収納箱２０の前面開口部は上部外装体２２に一体形成されている前面壁２４と当接されるとともに、下方のみ非当接部とし、流出口１９を形成している。
【００１５】
洗剤投入蓋１８は下方に回動支点２５を設けて注水装置１７に回動可能に取り付けている。回動支点２５は、洗剤投入蓋１８の底面が開口するように設けた略Ｃ字状の嵌合部２６と、注水装置１７に設け嵌合部２６と着脱可能に嵌合する略円筒形の凸部２７とで構成している。回動支点２５と反対側の洗剤投入蓋１８の上部には、前面壁２４に引っ掛け可能とする爪部２８を設け、洗剤投入蓋１８を閉状態に保持できるようにし、爪部２８の近傍下部に把手部２９を設けている。
【００１６】
上記構成において、把手部２９に指を掛けて洗剤投入蓋１８を開ける場合に、爪部２８は上下方向の係止であり、力は下方にかかるため、洗剤投入蓋１８の上部の前面壁２４に引っ掛かっている爪部２８は容易に外れ、洗剤投入蓋１８を開けやすくすることができる。
【００１７】
また、洗剤投入蓋１８の略Ｃ字状の嵌合部２６は、洗剤投入蓋１８の底面に設けているため、図４に示すように、左右の嵌合部２６と凸部２７とをほぼ同時に嵌合することができるため、洗剤投入蓋１８を正面から注水装置１７に着脱することができ、注水装置１７に洗剤投入蓋１８を容易に取り付け、取り外しすることができる。
【００１８】
（実施例２）
図１または図３に示すように、洗剤投入蓋１８を回動自在に装着する回動支点２５の背面側に壁３０を設け、洗剤投入蓋１８を開いた状態で、洗剤投入蓋１８の略Ｃ字状の嵌合部２６の外周端面が壁３０に当接するように構成している。他の構成は上記実施例１と同じである。
【００１９】
上記構成において、洗剤投入蓋１８を開けた状態で、洗剤を洗剤投入蓋１８に載せた場合は、回動支点２５の背面側に設けた壁３０がストッパーとなり、洗剤投入蓋１８は下方に下がらず、洗剤投入蓋１８に載せた洗剤はこぼれ落ちることはない。また、洗剤投入蓋１８に上方から洗濯物などの無理な荷重がかかった場合は、図５に示すように、洗剤投入蓋１８の略Ｃ字状の嵌合部２６の切り欠き部端面のＡ点が回動支点となり、略Ｃ字状の嵌合部２６が略円筒形の凸部２７より矢印方向へ容易に外れることができ、洗剤投入蓋１８の略Ｃ字状の嵌合部２６および注水装置１７に設けた略円筒形の凸部２７が容易に破壊しないようにすることができる。
【００２０】
（実施例３）
図６に示すように、上部外装体２２には、注水装置１７を装着し、洗剤投入蓋１８を閉めた状態で、洗剤投入蓋１８が上部外装体２２に入り込むように凹部３１を設けている。他の構成は上記実施例１と同じである。
【００２１】
上記構成において、洗濯物を洗濯兼脱水槽３に投入する際、洗剤投入蓋１８が上部外装体２２に入り込んでいるため、洗濯物が洗剤投入蓋１８にひっかからないようにすることができ、洗濯物の破れを防止することができる。ここで、把手部２９は洗濯物がひっかからないように両端面を略円状凸壁としている。
【００２２】
【発明の効果】
以上のように本発明の請求項１に記載の発明によれば、洗剤投入蓋を開閉可能に設け流出口より洗濯槽内に注水する注水装置を備え、前記洗剤投入蓋は、下方に回動支点を設けて回動可能に注水装置に装着され、前記回動支点と反対側に爪部が設けられ、前記爪部の近傍下部に把手部が設けられ、前記回動支点は、前記洗剤投入蓋に設けた略Ｃ字状の嵌合部と、前記注水装置に設け前記嵌合部と嵌合する略円筒形の凸部とで構成され、前記回動支点の背面側には壁が設けられ、前記洗剤投入蓋を開いた状態で、前記略Ｃ字状の嵌合部の外周端面が前記壁に当接するようにしたから、把手部に指を掛けて洗剤投入蓋を開ける場合に、爪部の近傍を引っ張るため、爪部を容易に外すことができ、洗剤投入蓋を開けやすくすることができ、使い勝手を向上することができ、左右の嵌合部と凸部とをほぼ同時に嵌合することができるため、洗剤投入蓋を正面から着脱することができ、洗剤投入蓋を容易に取り付け、取り外しすることができ、洗剤投入蓋を開けた状態で洗剤投入蓋に上方からの荷重がかかった場合に、壁が支点になって略Ｃ字状の嵌合部が略円筒形の凸部より外れるため、洗剤投入蓋を容易に外すことができ、洗剤投入蓋が容易に破壊しないようにすることができる。
【００２３】
また、請求項２に記載の発明によれば、注水装置を上部外装体に装着し、洗剤投入蓋を閉めた状態で、前記洗剤投入蓋が前記上部外装体に入り込むように前記上部外装体に凹部を設けたから、洗濯物を洗濯兼脱水槽に投入する際、洗濯物が洗剤投入蓋にひっかからないようにすることができる。
【図面の簡単な説明】
【図１】  本発明の第１の実施例の洗濯機の給水装置を備えた洗濯機の要部断面図
【図２】  同洗濯機の給水装置を備えた洗濯機の断面図
【図３】  同洗濯機の給水装置の斜視図
【図４】  同洗濯機の給水装置の要部分解斜視図
【図５】  本発明の第２の実施例の洗濯機の給水装置の要部側面図
【図６】  本発明の第３の実施例の洗濯機の給水装置の取付状態の斜視図
【図７】  従来の洗濯機の給水装置を備えた洗濯機の断面図
【図８】  同洗濯機の給水装置の要部分解斜視図
【符号の説明】
３  洗濯兼脱水槽（洗濯槽）
１７  注水装置
１８  洗剤投入蓋
１９  流出口
２５  回動支点
２８  爪部
２９  把手部
【図１】
0003800693.tif 000002
【図２】
0003800693.tif 000003
【図３】
0003800693.tif 000004
【図４】
0003800693.tif 000005
【図５】
0003800693.tif 000006
【図６】
0003800693.tif 000007
【図７】
0003800693.tif 000008
【図８】
0003800693.tif 000009